(57)【要約】【課題】  市販の衣類のストラップに着脱自在にかつ簡単に係止し得るとともに、デザイン性に優れた健康促進具を提供する。【解決手段】  衣類のストラップ３に着脱自在に係止し得るＳ字状支持体１と、支持体１の内面に固定された少なくとも１つの健康促進機能部材２とを有する健康促進具。Ｓ字状支持体１は、健康促進機能部材２を固定する中央部11と、中央部11の両側に平行に延在する第一及び第二の係止部12，13と、中央部11の一端と第一の係止部12とを一体的に連結する第一のウェブ部14と、中央部11の他端と第二の係止部13とを一体的に連結する第二のウェブ部15とからなる。健康促進機能部材２は永久磁石又はゲルマニウムである。【選択図】  図７
2007111129.tif 000002
【特許請求の範囲】
【請求項１】
衣類のストラップに着脱自在に係止し得るＳ字状支持体と、前記支持体の内面に固定された少なくとも１つの健康促進機能部材とを有することを特徴とする健康促進具。
【請求項２】
請求項１に記載の健康促進具において、前記Ｓ字状支持体は、前記健康促進機能部材を固定する中央部と、前記中央部の両側に平行に延在する第一及び第二の係止部と、前記中央部の一端と前記第一の係止部とを一体的に連結する第一のウェブ部と、前記中央部の他端と前記第二の係止部とを一体的に連結する第二のウェブ部とからなることを特徴とする健康促進具。
【請求項３】
請求項１又は２に記載の健康促進具において、前記Ｓ字状支持体は内側にカーブしていることを特徴とする健康促進具。
【請求項４】
請求項１〜３のいずれかに記載の健康促進具において、前記Ｓ字状支持体が身体にアレルギー反応を起こさせない材料により形成されていることを特徴とする健康促進具。
【請求項５】
請求項４に記載の健康促進具において、前記Ｓ字状支持体が純チタンにより形成されていることを特徴とする健康促進具。
【請求項６】
請求項１〜５のいずれかに記載の健康促進具において、前記健康促進機能部材が永久磁石、ゲルマニウム又は天然鉱石であることを特徴とする健康促進具。
【発明の詳細な説明】
【技術分野】
【０００１】
本発明は衣類のストラップに着脱自在にかつ簡単に係止し得るデザイン性に優れた健康促進具に関する。
【背景技術】
【０００２】
肩こりや頭痛等を解消するために、従来から種々の器具が使用されているが、なかでも永久磁石やゲルマニウムを取り付けたネックレスやブレスレット等を装着するのが流行している。しかし、永久磁石やゲルマニウムを取り付けたネックレスやブレスレットは比較的大きく、デザイン的に自由度が小さいので、特に若い女性には好かれない。
【０００３】
そのため、最近では下着に永久磁石やゲルマニウムを直接装着することが提案されている。例えば、特開2005-105512号（特許文献１）は、肩こりの緩和に有効な磁力線を発生する磁性体が肩部に取り付けられているＴシャツ又はオープンシャツ類を開示している。磁性体の装着方法として記載されたものは、Ｔシャツの肩部と伸縮性熱転写シートとの間に磁性体を挟んで熱転写する方法か、磁性体を袋状の生地に詰めてＴシャツの肩部に縫合する方法である。しかしながら、磁性体をＴシャツ又はオープンシャツ類に固定してしまうと、衣類の寿命とともに磁性体も廃棄しなければならず、無駄が多い。
【０００４】
特開2002-20904号（特許文献２）は、ブラジャーの肩ストラップに磁石体を装着することを提案している。磁石体を装着した肩ストラップはブラジャーに着脱自在であるので、ブラジャー本体の消耗とともに廃棄する必要がないという利点を有する。しかしながら、ブラジャーの肩ストラップ自体に磁石体を装着するには手間がかかり、コスト高になる他に、肩ストラップの交換も面倒であるという問題がある。
【０００５】
衣類自体は市販品を用い、それに磁石を着脱自在に装着する部材として、特開2002-210025号（特許文献３）は、同じ幅で長さが異なるテーピースナッパーとネット状の編物と磁石を縫製又は溶着で結合し、ブラジャーのストラップに簡単に取り外しができるようにした肩こり解消グッズを提案している。これは市販の衣類に着脱自在であるので、衣類の消耗とともに廃棄する必要がないという利点を有する。しかしながら、ブラジャーのストラップを挟んでテーピースナッパーで固定する方式であるので、装着したときに絆創膏が付いているような外観となり、見栄えが悪いという欠点を有する。
【０００６】
【特許文献１】特開2005-105512号公報
【特許文献２】特開2002-20904号公報
【特許文献３】特開2002-210025号公報
【発明の開示】
【発明が解決しようとする課題】
【０００７】
従って本発明の目的は、市販の衣類のストラップに着脱自在にかつ簡単に係止し得るとともに、デザイン性に優れた健康促進具を提供することである。
【課題を解決するための手段】
【０００８】
上記目的に鑑み鋭意研究の結果、本発明者らは、衣類のストラップに着脱自在にかつ簡単に係止し得るとともに、外観に優れたＳ字状支持体に、健康促進機能部材を固定すれば、市販の衣類に対して適宜装着可能である他に、装着時に見栄えが良いことを発見し、本発明に想到した。
【０００９】
すなわち本発明の健康促進具は、衣類のストラップに着脱自在に係止し得るＳ字状支持体と、前記支持体の内面に固定された少なくとも１つの健康促進機能部材とを有することを特徴とする。
【００１０】
Ｓ字状支持体は、前記健康促進機能部材を固定する中央部と、前記中央部の両側に平行に延在する第一及び第二の係止部と、前記中央部の一端と前記第一の係止部とを一体的に連結する第一のウェブ部と、前記中央部の他端と前記第二の係止部とを一体的に連結する第二のウェブ部とからなるのが好ましい。Ｓ字状支持体は内側にカーブしているのが好ましい。Ｓ字状支持体は身体にアレルギー反応を起こさせない材料（例えばチタン）により形成されているのが好ましい。健康促進機能部材は永久磁石、はゲルマニウム又は天然鉱石であるのが好ましい。
【発明の効果】
【００１１】
健康促進機能部材を固定するＳ字状支持体は、市販の衣類のストラップに着脱自在にかつ簡単に係止し得るとともに、デザイン性に優れているので、衣類の消耗により廃棄する必要がなく、かつ装着時にも見栄えが良いので、肩が見えるような服装の時でも気にせずに装着することができる。その上、本発明の健康促進具を装着した衣類を着た時、健康促進具の位置がずれることがないので、所望のツボをしっかり刺激し続けることができる。
【発明を実施するための最良の形態】
【００１２】
[1] 第一の実施例
図１〜５は本発明の第一の実施例による健康促進具を示す。この健康促進具は、Ｓ字状支持体１と、１つの健康促進機能部材２とからなる。Ｓ字状支持体１は、健康促進機能部材２を固定する中央部11と、中央部11の両側に平行に延在する第一及び第二の係止部12，13と、中央部11の一端と第一の係止部12とを一体的に連結する第一のウェブ部14と、中央部11の他端と第二の係止部13とを一体的に連結する第二のウェブ部15とからなる。各係止部12，13の先端には、中央部11側に伸びる突出部12a，13aが一体的に設けられている。Ｓ字状支持体１は、衣類に係止した状態で着衣したときに皮膚を傷つけたり痛みを感じたりしないように、角が丸く面取りされている。
【００１３】
図３及び図４から明らかなように、このＳ字状支持体１は、内側（健康促進機能部材２が取り付けられている側）に凹となるように湾曲している。Ｓ字状支持体１が湾曲している方が、健康促進機能部材２は皮膚に良好に接触する。また特に肩部に健康促進具を位置決めする場合、Ｓ字状支持体１が肩のカーブに沿うので、装着感が良い。
【００１４】
図４及び図５から明らかなように、健康促進機能部材２の位置決めを精確にするために、Ｓ字状支持体１の中央部11の内面には、健康促進機能部材２を受承するサイズの凹部11aが設けられている。凹部11aはまた接着剤やロウ材の溜まりとしても機能する。
【００１５】
Ｓ字状支持体１は、(a) 衣類のストラップに装着したときにストラップにしっかり固定されるのに十分な剛性を有し、(b) 身体にアレルギー反応を起こさず、(c) 装着時に審美的に問題がなければ、いかなる材料により形成されていても良い。具体的には、ステンレススチール、チタン、金、銀、白金等の不活性な金属又は合金、又はポリエチレンテレフタレート（PET）、ナイロン等のプラスチックにより形成するのが好ましい。なかでも、純チタンは最もアレルギー反応を起こしにくく、錆びず、軽量な金属であるので、好ましい。また肌の色と同じにするには、着色が容易なプラスチックが好ましい。
【００１６】
健康促進機能部材２は、球面状の上面2aと円錐状の側面2bとを有するのが好ましい。健康促進機能部材２の上面2aは皮膚と接するので、球面状とすることにより違和感がなくなる。健康促進機能部材２の材料としては、健康促進機能を有すると言われている永久磁石やゲルマニウムの他に、トルマリン、松鉱石（石英安山岩）、酸化チタン、ヘマタイト、シリカ鉱石等の天然鉱石であるのが好ましい。永久磁石としては、フェライト磁石、Nd-Fe-B磁石、Sm-Co磁石、Sm-Fe-N磁石等何でも使用可能である。またゲルマニウムは金属ゲルマニウムである。
【００１７】
図５に示すように、本発明の健康促進具を製造するには、まず図示の形状に加工したＳ字状支持体１の中央部11の凹部11aに接着剤（又はロウ材）16を少量付け、健康促進機能部材２を接着剤16に押しつける。接着剤16は凹部11a内で広がり、健康促進機能部材２の底面全体と接触するようになる。接着剤16が多すぎると機能部材２の脇に溢れるので、接着剤16は適量に調節しなければならない。接着剤16としては、(a) 機能部材２の固着強度が十分であり、(b) 十分な耐候性、耐水性及び耐久性を有し、(c) 健康促進具の外観を劣化させないものであれば、何でも使用可能である。
【００１８】
健康促進機能部材２は上記形状に限定されず、例えば図６に示すように、頂角の大きな円錐状の上面2a’と、頂角の小さな円錐状の側面2bとを有するものでも良い。上面2aが円錐状であると、皮膚と点接触するので、より大きな健康促進効果が期待できる。
【００１９】
本発明の健康促進具を衣類のストラップに装着する様子を図７及び図８により説明する。衣類のストラップ３は、開口部12bより中央部11と第一の係止部12との隙間に入れるとともに、開口部13bより中央部11と第二の係止部13との隙間に入れる。ストラップ３をピンと張ると、図８に示すように屈曲した状態になるので、健康促進具はストラップ３にしっかり固定され、健康促進機能部材２は皮膚５と接触する。
【００２０】
[2] 第二の実施例
本発明の第二の実施例では、健康促進具のＳ字状支持体１は湾曲していない。それ以外の構造は第一の実施例と同じであるので、説明を省略する。Ｓ字状支持体１が直線的に平坦であると、衣類のストラップ３に装着したときに健康促進機能部材２が皮膚により強く接触することになる。そのため、強い健康促進効果を得たい場合に効果的である。
【００２１】
[3] 第三の実施例
本発明の第二の実施例では、Ｓ字状支持体１に固定される健康促進機能部材２は複数個ある。図示の例では３つの健康促進機能部材２がＳ字状支持体１の中央部11に取り付けられている。健康促進機能部材２が多い分、大きな健康促進が期待できる。この例では、健康促進具は幅広であるので、幅広のストラップに装着するのに適する。
【００２２】
上記の通り、本発明の健康促進具は衣類のストラップにしっかり固定されるので、健康促進機能部材は皮膚の所望の位置に接触し、健康促進効果を確実に得ることができる。このような効果を発揮する本発明の健康促進具は、ブラジャー、キャミソール、ランニング等のストラップに装着して使用するのに好適である。
【図面の簡単な説明】
【００２３】
【図１】本発明の第一の実施例による健康促進具を示す底面図である。
【図２】本発明の第一の実施例による健康促進具を示す平面図である。
【図３】本発明の第一の実施例による健康促進具を示す側面図である。
【図４】図１のA-A拡大断面図である。
【図５】第一の実施例による健康促進具を製造する様子を示す拡大断面図である。
【図６】健康促進機能部材の別の例を示す側面図である。
【図７】第一の実施例による健康促進具を衣類のストラップに装着する様子を示す底面図である。
【図８】図７のB-B断面図である。
【図９】本発明の第二の実施例による健康促進具を示す側面図である。
【図１０】本発明の第三の実施例による健康促進具を示す側面図である。
【符号の説明】
【００２４】
１・・・Ｓ字状支持体
11・・・中央部
11a・・・凹部
12・・・第一の係止部
13・・・第二の係止部
12a，13a・・・突出部
12b，13b・・・開口部
14・・・第一のウェブ部
15・・・第二のウェブ部
16・・・接着剤
２・・・健康促進機能部材
2a・・・球面状の上面
2a’・・・円錐状の上面
2b・・・円錐状の側面
３・・・ストラップ
５・・・皮膚
【図１】
2007111129.tif 000003
【図２】
2007111129.tif 000004
【図３】
2007111129.tif 000005
【図４】
2007111129.tif 000006
【図５】
2007111129.tif 000007
【図６】
2007111129.tif 000008
【図７】
2007111129.tif 000009
【図８】
2007111129.tif 000010
【図９】
2007111129.tif 000011
【図１０】
2007111129.tif 000012